(57)【要約】【課題】収納された商品への底面からの衝撃に対し均一な緩衝機能を有すると共に、包装作業より事前に組み立てた上で、仕切り構造を保持したまま少スペースで保管することができる包装箱の仕切り体を提供する。【解決手段】底面の中心部に折り畳み用の１本の折罫（７）のみを有し他に切り込みを有しない、仕切り体の底面全面に及ぶ底板部（６）と、それに連接し平行する２枚の仕切り板部（３）及び、中心部に折り畳み用の１本の折罫（１３）を有し前記仕切り板部（３）に直行する複数の横仕切り板（８）、並びに平交する複数の縦仕切り板（１４）によって形成され、底板部（６）及び横仕切り板（８）の折罫（７）、（１３）を折り曲げることにより組み立て後に於いて仕切り構造を保持したまま折り畳むことができる構成にした。【選択図】  図７
2010018301.tif 000002
【特許請求の範囲】
【請求項１】
中心部に１本の折罫を有する底板部とその横方向両端に連接する２枚の平行な仕切り板部を有する紙製の底板と、前記仕切り板部に直交し中心部の高さ方向に１本の折罫を有する複数の紙製の仕切り板、及び前記仕切り板部に対し平行する複数の紙製の仕切り板がスリット状の溝によって噛み合うことにより形成される構造であることを特徴とする包装箱の仕切り体。
【請求項２】
底板部に縦方向に形成された折罫と、前記底板部に連接する２枚の平行な仕切り板部に直交する複数の仕切り板の中心部に形成された高さ方向の折罫とを折り曲げることにより、組み立て後に於いて仕切り構造を保持したまま折り畳むことができることを特徴とする請求項１に記載の包装箱の仕切り体。
【請求項３】
底板部が仕切り体の底面全面に及ぶことにより、各収納部に収納された商品への底面からの衝撃に対し均一な緩衝機能を有することを特徴とする請求項１に記載の包装箱の仕切り体。
【請求項４】
底板部に一切の切り込みが無いことから仕切り体としての高い形状保持能力を有することを特徴とする請求項１に記載の包装箱の仕切り体。
【発明の詳細な説明】
【技術分野】
【０００１】
本発明は、収納部の底面全面に及ぶ底板部と、それに連接し平行する２枚の仕切り板部及び、前記仕切り板部に直交並びに平行する複数の仕切り板によって形成され、組み立て後に於いて仕切り構造を保持したまま折り畳むことができる包装箱の仕切り体に関するものである。
【背景技術】
【０００２】
従来の包装箱の仕切り体は複数の仕切り板を井桁状に組み合わせたものが一般的である。
（例えば、特許文献１参照）
【０００３】
また、仕切り板を差し込むための溝を有した底板部の両端から連接した仕切り板を用いて組み立て後に於いて折り畳むことができるものも存在する。
（例えば、特許文献２参照）
【０００４】
【特許文献１】特開平１１−２３６０３４
【特許文献２】特開２００８−０３０７６０
【発明の開示】
【発明が解決しようとする課題】
【０００５】
従来の包装箱の仕切り体は、複数の仕切り板を井桁状に組み合わせただけの構造のものに於いては、包装作業現場での組み立て作業が非効率なことから、事前に組み立てた状態にしておくことが一般的であるが、組み立て後、折り畳むことができず、包装作業に使用するまでの保管時に多くのスペースが必要である。
【０００６】
また、底板部と仕切り板が連接し折り畳みが可能な仕切り体に於いては、保管スペースは少なくて済むが、包装箱の仕切り体としての使用時に底板部に仕切り板を差し込むための複数の切込みを有していることから、仕切り体の形状保持能力が低いと共に、底板が収納部の底面全面に及んでいないことから収納された商品への底面からの衝撃に対する緩衝機能にバラつきが生じ、均一な商品の保護が困難である。
【課題を解決するための手段】
【０００７】
本発明は、記述の課題を解決した組み立て後に於いても仕切り構造を保持した状態での折り畳みが可能であり、仕切り体としての使用時には収納部の底面全面に及ぶ底板を形成する包装箱の仕切り体を提供するものである。
【０００８】
本発明は、底板部の中心に縦方向に折り畳み用の１本の折罫のみを有し他に切り込みを有しない、収納部の底面全面に及ぶ底板部と、それに連接し平行する２枚の仕切り板部及び、中心に高さ方向に折り畳み用の１本の折罫を有し前記仕切り板部に直行する複数の縦仕切り板、並びに平交する複数の横仕切り板によって形成され、底板部及び縦仕切り板の折罫を折り曲げることにより組み立て後に於いて仕切り構造を保持したまま折り畳むことができる包装箱の仕切り体を提供するものである。
【発明の効果】
【０００９】
本発明は、商品の包装作業に対し事前に組み立てた上で仕切り構造を保持したまま折り畳むことにより包装作業現場の効率を低下させる要因となる包装作業現場での組み立て作業を回避できると共に、包装作業時までの保管スペースを少なくすることができる包装箱の仕切り体である。
【００１０】
本発明は、一切の切り込みが無い底板部が組み立て後に収納部の底面全面に及ぶことから、仕切り体の形状保持能力が高く、また収納部に収納された商品への底面からの衝撃に対し均一な緩衝機能を有する包装箱の仕切り体である。
【発明を実施するための最良の形態】
【００１１】
以下、本発明の実施の形態として一実施例を図１〜図９に基づいて説明する。
【００１２】
図１、図２、図３は平面状に展開した包装箱の仕切り体の各部材を示し、本図により各部材と部位の名称を記す。図４、図５、図６、に組み立て、形成を示し、図７、図８に折り畳み状態、図９に包装箱への使用状態の順に示す。
【００１３】
以下に組み立て方法を説明する。図４に示すように、図１の底板（１）に設けられた底板部（６）の横方向両端に連接する仕切り板部（３）を折罫（２）を介して折り曲げた後、図２の横仕切り板（８）の両端に高さ方向の下向きに設けられた溝（９）を底板（１）の仕切り板部（３）に高さ方向の上向きに設けられた溝（４）に差込む。この時、横仕切り板（８）の両端に高さ方向の上向きに設けられた溝（１０）に底板（１）の仕切り板部（３）の溝（４）の上端に設けられた突出部（５）が引っ掛かることにより、横仕切り板（８）が抜けることを防止する。同様の方法で、図５に示すように縦方向に対し複数の横仕切り板（８）を順次、差込んで固定する。
【００１４】
横仕切り板（８）を固定した後、図４に示すように、図３の縦仕切り板（１４）に高さ方向の下向きに設けられた溝（１５）を横仕切り板（８）に高さ方向の上向きに設けられた溝（１１）に差し込む。この時、縦仕切り板（１４）の上端に高さ方向の上向きに設けられた溝（１６）に横仕切り板（８）の溝（１１）の上端に設けられた突出部（１２）が引っ掛かることにより、縦仕切り板（１４）が抜けることを防止する。同様の方法で横方向に対し複数の縦仕切り板（１４）を順次、差し込んで固定する。
【００１５】
図６は底板に対し複数の横仕切り板（８）と縦仕切り板（１４）を差し込み、組み立てられた包装箱の仕切り体の全体斜視図である。
【００１６】
図７は底板（１）の中心に縦方向に設けられた折罫（７）と横仕切り板（８）の中心に高さ方向に設けられた折罫（１３）から折り曲げることにより仕切り構造を保持したまま折り畳む様子の斜視を示し、図８は折り畳みが完了した包装箱の仕切り体の全体斜視を示す。
【実施例】
【００１７】
図９は組み立てられた包装箱の仕切り体を包装箱に挿入し、仕切り体として使用する状態の斜視を示し、各仕切り板で仕切られた収納部（１７）に商品を収納することにより商品を保護することができる。
【産業上の利用可能性】
【００１８】
本発明の包装箱の仕切り体は以下の効果を提供できる。
◆商品の包装作業に対し事前に組み立てた上で仕切り構造を保持したまま折り畳むことができることにより、包装作業の効率を低下させる要因となる包装作業現場での組み立て作業を回避できると共に、包装作業時までの保管スペースを少なくできる効果がある。
◆組み立て後に底板部に一切の切り込みが無いことから仕切り体としての形状を充分に保つ効果が得られる。
◆組み立て後に底板部が仕切り体の底面全面に及ぶことから収納部に収納された商品への底面からの衝撃に対し均一な緩衝機能を有する効果が得られる。
【図面の簡単な説明】
【００１９】
【図１】展開した包装箱の仕切り体の底板を示した。
【図２】展開した包装箱の仕切り体の横仕切り板を示した。
【図３】展開した包装箱の仕切り体の縦仕切り板を示した。
【図４】図１、図２、図３の各部材を横方向、縦方向、高さ方向に於いて組み立てる過程を示した。
【図５】図４の状態に続く複数の横仕切り板の固定状態を示した。
【図６】図５の状態に続く複数の縦仕切り板を固定し、組み立てが完了した状態を示した。
【図７】折罫から折り曲げることにより仕切り体の構造を保持したまま折り畳む過程を示した。
【図８】図７の状態に続く折り畳みが終了した状態を示した。
【図９】組み立てられた包装箱の仕切り体を包装箱に挿入した状態を示した。
【符号の説明】
【００２０】
１  底板
２  折罫
３  仕切り板部
４  溝
５  突出部
６  底板部
７  折罫
８  横仕切り板
９  溝
１０  溝
１１  溝
１２  突出部
１３  折罫
１４  縦仕切り板
１５  溝
１６  溝
１７  収納部
【図１】
2010018301.tif 000003
【図２】
2010018301.tif 000004
【図３】
2010018301.tif 000005
【図４】
2010018301.tif 000006
【図５】
2010018301.tif 000007
【図６】
2010018301.tif 000008
【図７】
2010018301.tif 000009
【図８】
2010018301.tif 000010
【図９】
2010018301.tif 000011